(57)【要約】【課題】透過性の有る遊技盤と画像表示装置との間に画像表示開口部を囲む見切り構造体を配置しても画像表示開口部を明るくして画像を大きく見せることの容易化を図る。【解決手段】板状の反射板７７が見切り構造体６５の後側から画像表示開口部６２に挿入され、見切り係合部７８の縦突起８０が反射係合部６６に後側から嵌め込まれ、見切り係合部７８の横突起８１が反射係合部６６から見切り構造体６５の外面と対応し、見切り固定部７９が画像表示開口部６２から見切り構造体６５を貫通して見切り構造体６５の外側に突出され、反射固定部６８と見切り固定部７９とが止ねじで互いに締結され、見切り構造体６５の内面に接触しかつ取り付けられる。【選択図】図１
2008086572.tif 000002
【特許請求の範囲】
【請求項１】
遊技機枠の前部には光透過性の有る遊技盤が格納され、遊技機枠の後部には画像表示装置が装着され、遊技盤の裏面と画像表示装置の表示画面との間には画像表示開口部を囲む前後方向に開口した角筒状の見切り構造体が設けられ、画像表示装置の表示画面に表示された画像と遊技盤の遊技領域に行き交う球の動きとが遊技機枠の前側から遊技者に見えるパチンコ遊技機において、見切り構造体の内部には板状の反射板が設けられ、見切り構造体における反射板の両端部と対応する部分には後側から前側に窪む反射係合部が設けられ、反射板の両端部には見切り構造体の後側から反射係合部に嵌め込まれる見切り係合部が設けられたことを特徴とするパチンコ遊技機。
【請求項２】
請求項１に記載の見切り係合部が反射板から上方または下方に突出する縦突起と縦突起の上部または下部から内側横方向に突出する横突起とを備えたことを特徴とするパチンコ遊技機。
【請求項３】
請求項１に記載の見切り構造体には反射固定部が設けられ、反射板には反射固定部に固定される見切り固定部が設けられたことを特徴とするパチンコ遊技機。
【発明の詳細な説明】
【技術分野】
【０００１】
本発明は、光透過性の有る遊技盤と画像表示装置との間に画像表示開口部を囲む見切り構造体を配置しても画像表示開口部を明るくして画像を大きく見せることが容易なパチンコ遊技機に関する。
【背景技術】
【０００２】
パチンコ遊技機には、遊技機枠の前部に光透過性の有る遊技盤を格納し、遊技機枠の後部に画像表示装置を装着し、遊技盤の裏面と画像表示装置の表示画面との間に遊技盤の裏側に取り込まれた球を処理するための空間が形成されるので、遊技機枠を前側から見た場合、上記空間を経由して遊技機枠の内部が見えることのないように、当該空間の一部を画像表示開口部として見切り構造体で囲み、画像表示装置の表示画面に表示された画像と遊技盤の遊技領域に行き交う球の動きとを、遊技機枠の前側から遊技者に見せるようにしたものが知られている。しかしながら、画像表示開口部が見切り構造体で囲まれて暗くなることから、遊技機枠を前側から表示画面に表示された画像が小さく見えるという欠点がある。そこで、見切り構造体の表面に反射被膜を形成して画像表示開口部を明るくし、画像が大きく見えるようにすることも考えられるが、見切り構造体が大形であることから、にわかに採用しがたいものである。
【特許文献１】特願２００６−１０２０５９号
【発明の開示】
【発明が解決しようとする課題】
【０００３】
発明が解決しようとする問題点は、見切り構造体の表面に反射被膜を形成して画像表示開口部を明るくし、画像が大きく見えるようにするのは、にわかに採用しがたいという点である。
【課題を解決するための手段】
【０００４】
本発明に係るパチンコ遊技機は、遊技機枠の前部には光透過性の有る遊技盤が格納され、遊技機枠の後部には画像表示装置が装着され、遊技盤の裏面と画像表示装置の表示画面との間には画像表示開口部を囲む前後方向に開口した角筒状の見切り構造体が設けられ、画像表示装置の表示画面に表示された画像と遊技盤の遊技領域に行き交う球の動きとが遊技機枠の前側から遊技者に見えるパチンコ遊技機において、見切り構造体の内部には板状の反射板が設けられ、見切り構造体における反射板の両端部と対応する部分には後側から前側に窪む反射係合部が設けられ、反射板の両端部には見切り構造体の後側から反射係合部に嵌め込まれる見切り係合部が設けられたことを最も主要な特徴とする。見切り係合部が反射板から上方または下方に突出する縦突起と縦突起の上部または下部から内側横方向に突出する横突起とを備えたり、または、見切り構造体には反射固定部が設けられ、反射板には反射固定部に固定される見切り固定部が設けられたりしてもよい。
【発明の効果】
【０００５】
本発明に係るパチンコ遊技機の遊技盤は、反射板の見切り係合部が見切り構造体の後側から反射係合部に嵌め込まれることによって、板状の反射板が見切り構造体の内部に設けられるので、画像表示開口部を明るくして画像を大きく見せることが容易に実施できるという利点がある。
【発明を実施するための最良の形態】
【０００６】
図１乃至図５は、発明を実施するための最良の形態である。図１のａ図は、見切り構造体６５および反射板７７を互いに分解した正面を示す。図１のｂ図は、見切り構造体６５および反射板７７を互いに組み立てた正面を示す。図２は、パチンコ遊技機の遊技機枠１と遊技盤４１とを分解して示す。図３は、可動枠３の正面を示す。図４は、遊技盤４１における透明基盤４２と遮光基盤４３および反射板７７を分解して示す。図５は、遊技盤４１を格納した遊技機枠１の内部を横に切断した断面を示す。本明細書において、「前」、「表」、「後」、「裏」、「左」、「右」、「上」、「下」の方向は、図２の状態に遊技機枠１および遊技盤４１を置いて矢印Ｓで示す前側から見た場合に特定される方向である。「前」および「表」は、同じ方向である。「後」および「裏」は、同じ方向である。
【０００７】
図１のａ図において、板状の反射板７７が見切り構造体６５の後側から画像表示開口部６２に挿入され、見切り係合部７８の縦突起８０が反射係合部６６に後側から嵌め込まれる。これによって、図１のｂ図に示すように、反射板７７が見切り構造体６５の内面に接触しかつ取り付けられる。したがって、反射板７７が見切り構造体６５から離れるように内側に撓もうとした場合、縦突起８０が反射係合部６６に接触して支持され、反射板７７が内側に撓むことがなく見切り構造体６５の内面に接触しているので、画像表示開口部６２を明るくして画像を大きく見せることが容易に実施できるという利点がある。
【０００８】
図１のｂ図に示すように、反射板７７が見切り構造体６５の内側に取り付けられた後、反射板７７が見切り構造体６５から離れるように内側に撓もうとした場合、見切り係合部７８の横突起８１が反射係合部６６から見切り構造体６５の外面に接触して支持され、反射板７７が内側に一層撓むことがなく見切り構造体６５の内面に接触しているので、画像表示開口部６２を明るくして画像を大きく見せることが容易に実施できるという利点がある。
【０００９】
図２を参照し、パチンコ遊技機について説明する。パチンコ遊技機は、遊技機枠１の内部に遊技盤４１を交換可能に取り付ける形態である。遊技機枠１は、固定枠２の前側に可動枠３を開閉可能に備え、可動枠３の前側に前扉４および皿構造体５を開閉可能に備える。固定枠２は遊技機設置構造体に取り付けるための外枠とも呼ばれる。可動枠３は、遊技盤４１、図外の球払出機構、図外の制御装置、図外の電源装置など遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および皿構造体５は、左側に位置するヒンジ７を中心とし、可動枠３の前側で前側に開かれかつ後側に閉じられるように、片開き可能である。
【００１０】
可動枠３は、盤収容部９、中央開口部１０、盤後押出部１１、盤前受止部１２、盤掛止操作体１３、盤棚１４、球発射機構１５、球発射レール１６、戻り球取入口１７、機外排出樋１８、施錠装置１９、掛止機構２０；２１；２２、掛止解除操作体２３、タンク２４、画像表示装置２５を備える。盤収容部９は、遊技盤４１を可動枠３の前側から格納させるように、前側に開口した方形な箱形である。中央開口部１０は、画像表示装置２５の表示画面２６を露出させる、前後方向への貫通孔として、盤収容部９の背壁に形成される。盤後押出部１１は、遊技盤４１を前側に押す板ばねのような弾性体である。盤前受止部１２は、盤後押出部１１で前側に押された遊技盤４１を受け止める突起である。盤後押出部１１が後側で盤前受止部１２が前側となるように、盤後押出部１１および盤前受止部１２が盤収容部９の左側部に設けられる。盤後押出部１１と盤前受止部１２および盤掛止操作体１３は、遊技盤４１を盤収容部９に固定するための機構を構成する。
【００１１】
盤掛止操作体１３は、盤収容部９の背壁から前側に突出し、盤収容部９の背壁と平行な方向に回転可能に、盤収容部９の右側部に設けられる。盤棚１４は、遊技盤４１を搭載する左右方向に平坦な面として、盤収容部９の下縁部により形成される。球発射機構１５、球発射レール１６、戻り球取入口１７は、盤棚１４から下側に延設された前壁の前面に設けられる。機外排出樋１８は、盤棚１４の裏側に設けられる。施錠装置１９、掛止機構２０；２１；２２は、可動枠３の右側部に設けられる。タンク２４は、可動枠３の上部に位置し、可動枠３の裏面から後側に突出し、遊技機設置構造体の補給機構から供給された球を受ける上側に開口した上側から下側に窪む容器である。タンク２４には、図外の球払出機構が連結される。球払出機構は、タンク２４から球受皿部３０の側に球を１個ずつ分離しながら払い出す機構である。
【００１２】
前扉４は、窓２８、前面パネル２９、球受皿部３０、球発射操作機構３１、球取入口３２、球供給口３３を備える。窓２８は、前後方向への貫通孔として、前扉４の前壁に設けられる。前面パネル２９は、前面パネル２９の前壁の裏面に開閉可能に設けられる。前面パネル２９は、光を透過する性質の有る無色なガラスまたは合成樹脂などの透明体として、窓２８を塞ぐ大きさの板状に構成され、前扉４の裏面に設けられる。球受皿部３０は、窓２８よりも下部に位置し、前扉４の前面から前側に突出し、遊技に使用する球を受ける上側に開口した上側から下側に窪む容器であって、前扉４の前面に設けられる。球発射操作機構３１は、遊技者が球を発射するために操作するものであって、皿構造体５の前面から前側に突出するように、皿構造体５の前面に設けられる。球取入口３２は、球払出機構から払い出された球を球受皿部３０に導入する部分であって、皿構造体５の裏面に設けられる。球供給口３３は、球を球受皿部３０から球発射レール１６に供給するものであって、皿構造体５の裏面に設けられる。
【００１３】
遊技盤４１は、透明基盤４２、遮光基盤４３、ガイドレール４４、一般入賞部品４５、始動部品４６、可変入賞部品４７、ステージ４８、ステージ導入口４９、ステージ開口５０、ステージ導出口５１、アウト口５２、球発射通路５３、取付孔部５４、証紙台５５を備える。透明基盤４２は、光を透過する性質の有る無色な合成樹脂からなる透明体として、中央開口部１０を前側から塞ぐ大きさの板状に構成される。透明基盤４２が前側で、遮光基盤４３が後側となるように、透明基盤４２と遮光基盤４３とが互いに組み立てられる。
【００１４】
ガイドレール４４は、透明基盤４２の前面に固定される。一般入賞部品４５、始動部品４６、可変入賞部品４７、ステージ導入口４９、ステージ開口５０、アウト口５２、球発射通路５３は、ガイドレール４４で囲まれた透明基盤４２の前面に設けられる。一般入賞部品４５、始動部品４６、可変入賞部品４７は、透明基盤４２の前側から個別に取り入れた球を透明基盤４２の裏側に個別に排出する。ステージ導入口４９は、透明基盤４２の前側から取り入れた球を透明基盤４２の裏側のステージ４８に排出する。ステージ４８は、ステージ開口５０と対応し、透明基盤４２の裏面に設けられる。ステージ開口５０は、前後方向への貫通孔として構成され、ステージ４８の側部から始動部品４６を避けるように透明基盤４２の前側に球を落下させる。ステージ導出口５１は、ステージ４８の中央部から取り込んだ球を始動部品４６に向けるように透明基盤４２の前側に球を落下させる。
【００１５】
アウト口５２は、ガイドレール４４で囲まれた透明基盤４２の前側下部から取り入れた球を透明基盤４２の裏側に排出する。球発射通路５３は、球発射機構１５から発射された球をガイドレール４４で囲まれた透明基盤４２の前面上部に排出する。取付孔部５４は、透明基盤４２におけるガイドレール４２よりも外側の右側部に上下に分かれて設けられる。証紙台５５は、下部の取付孔部５４の前部に開閉可能に設けられる。証紙台５５が閉じられると、下部の取付孔部５４が証紙台５５で覆い隠される。遮光基盤４３の構造については、図４で後述する。
【００１６】
パチンコ遊技機では、可動枠３が閉じられて固定枠２に掛止機構２０で開閉不能に支持され、前扉４が閉じられて可動枠３に掛止機構２１で開閉不能に支持され、皿構造体５が閉じられて可動枠３に掛止機構２２で開閉不能に支持された状態において、遊技店の店員が図外のキープレート（鍵）を遊技機枠１の前側から施錠装置１９の鍵穴に挿入し、当該キープレートを例えば右側に９０度回転操作すると、固定枠２と可動枠３との掛止機構２０による支持形態が解除される。この支持形態の解除後に、店員が可動枠３を前側に引くことによって、可動枠３はヒンジ６を中心として前側に片開きされる。また、店員が施錠装置１９の鍵穴に挿入されたキープレートを例えば左側に９０度回転操作すると、可動枠３と前扉４との掛止機構２１による支持形態が解除される。この支持形態の解除後に、店員が前扉４を前側に引くことによって、前扉４はヒンジ７を中心として前側に片開きされる。その後、店員が掛止解除操作体２３を操作すると、可動枠３と皿構造体５との掛止機構２２による支持形態が解除される。この支持形態の解除後に、店員が皿構造体５を前側に引くことによって、皿構造体５がヒンジ７を中心として前側に片開きされる。
【００１７】
そして、少なくとも、前扉４が前側に開かれた状態において、遊技盤４１の左側部が可動枠３の前側から盤後押出部１１と盤前受止部１２との間に挿入され、遊技盤４１の右側部が遊技店の店員によって前側から後側に押され、盤掛止操作体１３が遊技盤４１の裏側から取付孔４８に挿入され、遊技店の店員が遊技盤４１の前側に突出した盤掛止操作体１３を例えば９０度回転操作することによって、盤掛止操作体１３が遊技盤４１の前面に掛け止められ、遊技盤４１の前面が前側に向けられ、遊技盤４１が盤収容部９に装着される。その後、前扉４が閉じられ、前扉４が可動枠３に掛止機構２１で開閉不能に支持される。これによって、前面パネル２９と遊技盤４１の前面との間におけるガイドレール４４で囲まれた空間が前面視丸形な遊技領域５６となり、遊技領域５６（図５参照）、ガイドレール４４、一般入賞部品４５、アウト口５２、球発射通路５３が遊技機枠１の前側から窓２８および前面パネル２９を通して視認可能になる。
【００１８】
遊技盤４１が可動枠３に取り付けられ、前扉４が閉じられて可動枠３に開閉不能に支持され、遊技者が球受皿部３０にパチンコ球と呼ばれる球を入れて球発射操作機構３１を操作すると、球発射機構１５が球発射操作機構３１から出力された操作量に応じた発射力で駆動し、球発射機構１５が球受皿部３０から球供給口３３を経由して球発射レール１６に供給された球を発射球として１個ずつ遊技盤４１の球発射通路５３に向けて発射する。この球発射通路５３に発射された球が、球発射通路５３から遊技領域５６に到達する。遊技領域５６に到達した球は、遊技盤４１の前面に設けられた一般入賞部品４５、始動部品４６、可変入賞部品４７、ステージ導入口４９などの部品に衝突して流れる方向を変えながら、遊技領域５６を流下する過程において、一般入賞部品４５または始動部品４６に入るかまたはステージ導入口４９に入る。
【００１９】
球が一般入賞部品４５に入ると、一般入賞部品４５への入賞に対する賞球としての球が図外の球払出機構から球受皿部３０に払い出される。球が始動部品４６に入ると、始動部品４６に入賞した球を検出した図外の球検出器が図柄始動信号を図外の制御装置に出力し、制御装置が当り外れ抽選処理を行い、抽選処理の結果を遊技者に知らせるべく図外の確定表示器を制御する。確定表示器が当り外れ抽選の結果として当たりが確定したことを停止表示した場合、制御装置が可変入賞部品４７の開閉体を開閉するように開閉体の駆動源を制御する。開閉体の開放中に、球が遊技領域５６から可変入賞部品４７に入ると、可変入賞部品４７への入賞に対する賞球としての球が図外の球払出機構から球受皿部３０に払い出される。一般入賞部品４５、始動部品４６、可変入賞部品４７に入賞しないで遊技領域５６の最下部に流れた球は、アウト口５２に取り込まれる。
【００２０】
図３を参照し、画像表示装置２５と遊技盤４１と見切り構造体６５とを前側から見た相互関係について説明する。盤収容部９の後部には画像表示装置２５が点線で示す前面視方形な表示画面２６を前側に向けて装着され、盤収容部９には光透過性の有る遊技盤４１が前側から格納され、ガイドレール４４とで囲まれた空間が前面視丸形な遊技領域５６として構成され、画像表示装置２５と遊技盤４１との間には一点鎖線で示す前面視八角形の見切り構造体６５が配置される。これによって、前面視方形な表示画面２６（図２参照）と前面視丸形な遊技領域５６とがそれらの間に見切り構造体６５を介在させて前後に重なる。
【００２１】
図４を参照し、透明基盤４２および遮光基盤４３の構造について説明する。透明基盤４２の裏面には、入賞球出口６１が設けられる。入賞球出口６１は、図２の一般入賞部品４５に取り込まれた球を透明基盤４２の裏側に排出する。遮光基盤４３は、光を遮断する性質の有る有色な合成樹脂からなる遮光体として、透明基盤４２の裏面に重ね合わせられる大きさの板状に構成される。遮光基盤４３の中央部には、前面視方形な画像表示開口部６２が、前後方向への貫通孔として設けられる。図２の遊技盤４１が盤収容部９に装着された場合、画像表示開口部６２には表示画面２６のほとんどが対向し、表示画面２６の周縁部が画像表示開口部６２よりも外側にはみ出すようになる。遮光基盤４３の裏面には、画像表示開口部６２の上縁部と左縁部および右縁部を囲む隔壁６３が、遮光基盤４３の裏面から後側に突出して設けられる。
【００２２】
画像表示開口部６２の下縁部には、光拡散部材６４が設けられる。光拡散部材６４は、光を透過する性質の有る無色な合成樹脂からなる透明体の下面にレンズを凹凸に有し、隔壁６３の左端部および右端部にわたる大きさの板状に構成される。光拡散部材６４が、隔壁６３の左端部および右端部にわたり、画像表示開口部６２の下縁部に沿って遮光基盤４３の裏面から後側に突出するように、遮光基盤４３の裏面に取り付けられ、隔壁６３の左端部および右端部の間の上下方向の開口を下から塞ぐ。隔壁６３と光拡散部材６４とが画像表示開口部６２を囲む前後方向に開口した角筒状の見切り構造体６５を構成する。
【００２３】
見切り構造体６５は、前面視八角形になっている。見切り構造体６５における２つの上下辺部の左右側部には、反射係合部６６が設けられる。反射係合部６６は、見切り構造体６５の後側と上下方向とに開口し、見切り構造体６５の後面から前側に窪む溝として構成される。見切り構造体６５における４つの斜辺部の前部には、足挿入孔６７が、見切り構造体６５の内外方向への貫通孔として設けられる。遮光基盤４３における足挿入孔６７よりも外側には、反射固定部６８が設けられる。
【００２４】
遮光基盤４３における見切り構造体６５よりも下方に位置する下板部には、後部品７１が設けられる。後部品７１は、球通路構造体７２および照明構造体７３を備える。球通路構造体７２は、入賞球出口６１から排出された球を遮光基盤４３の下板部に形成された貫通孔を経由して下方に排出する。照明構造体７３は、回路基板７４に複数のＬＥＤなどの表示灯７５を電気的に動作するように実装した構造であって、表示灯７５が球通路構造体７２の側に向けられ、回路基板７４が球通路構造体７２の裏面に取り付けられる。よって、表示灯７５が点灯すると、光拡散部材６４が照明される。
【００２５】
図１および図４に示すように、見切り構造体６５の内側には、反射板７７が左右に相対峙して設けられる。左の反射板７７は、見切り構造体６５における上下の斜辺部と１つの縦辺部とからなる左辺部の内面に接触する大きさの合成樹脂からなる板状に構成される。右の反射板７７は、見切り構造体６５における上下の斜辺部と１つの縦辺部とからなる右辺部の内面に接触する大きさの合成樹脂からなる板状に構成される。
【００２６】
反射板７７は、見切り係合部７８および見切り固定部７９を備える。見切り係合部７８は、反射板７７の上下端後部に設けられ、縦突起８０および横突起８１を備える。縦突起８０は、反射板７７から上方または下方に直線的に突出する。横突起８１は、縦突起８０の上部または下部から内側横方向に直線的に突出する。見切り固定部７９は、反射板７７の前縁部から外側横方向に直線的に突出した板状として、反射板７７の前部に上下に分かれ設けられる。見切り固定部７９には、ねじ挿入孔８２が、前後方向への貫通孔として設けられる。
【００２７】
図１および図４を参照し、反射板７７の見切り構造体６５への取付方について説明する。１つの反射板７７が見切り構造体６５の左側に取り付けられる場合、反射板７７が見切り構造体６５の後側から画像表示開口部６２に挿入され、見切り係合部７８の縦突起８０が反射係合部６６に後側から嵌め込まれ、見切り係合部７８の横突起８１が反射係合部６６から右側における見切り構造体６５の外面と対応し、見切り固定部７９が画像表示開口部６２から足挿入孔６７を経由して見切り構造体６５の左外側に突出される。そして、タッピングスクリューのような止ねじ８３が見切り固定部７９の後側からねじ挿入孔８２を経由して反射固定部６８に締結される。これによって、１つの反射板７７が図１のｂ図に示すように、見切り構造体６５の左側内面に接触しかつ取り付けられる。
【００２８】
もう１つの反射板７７が見切り構造体６５の右側に取り付けられる場合、反射板７７が見切り構造体６５の後側から画像表示開口部６２に挿入され、見切り係合部７８の縦突起８０が反射係合部６６に後側から嵌め込まれ、見切り係合部７８の横突起８１が反射係合部６６から左側における見切り構造体６５の外面と対応し、見切り固定部７９が画像表示開口部６２から足挿入孔６７を経由して見切り構造体６５の右外側に突出される。そして、タッピングスクリューのような止ねじ８３が見切り固定部７９の後側からねじ挿入孔８２を経由して反射固定部６８に締結される。これによって、もう１つの反射板７７が図１のｂ図に示すように、見切り構造体６５の右側内面に接触しかつ取り付けられる。
【００２９】
反射板７７が見切り構造体６５の内面に接触しかつ取り付けられた場合、反射板７７の見切り固定部７９が見切り構造体６５の反射固定部６８に止ねじ８３で固定されているので、反射板７７の前側も内側に撓むことがなく、見切り構造体６５の内面に適切に接触した形態を確保することができるという利点がある。
【００３０】
図５を参照し、パチンコ遊技機を横に切断した構造について説明する。盤収容部９に格納された光透過性の有る遊技盤４１の裏面と盤収容部９における背壁の裏面に取り付けられた画像表示装置２５の表示画面２６との間には、画像表示開口部６２を囲む前後方向に開口した角筒状の見切り構造体６３が設けられ、見切り構造体６５より形状の小さな板状の反射板７７が見切り構造体６５の内側に設けられているので、画像表示装置２５からの明るさで画像表示開口部６２を明るくして画像を大きく見せることが容易なパチンコ遊技機を提供できるという利点がある。
【産業上の利用可能性】
【００３１】
最良の形態において、反射固定部６８と見切り固定部７９とを止ねじ８３以外で固定してもよい。反射板７７は、金属板または合成樹脂で形成したものに、メッキまたは塗装で反射皮膜を形成してもよく、メッキまたは塗装で反射皮膜を形成することなくステンレスで形成してもよい。
【００３２】
見切り構造体６５が、遮光基盤４３に設けられることなく、可動枠３に設けられてもよい。見切り構造体６５が可動枠３に設けられた場合、反射板７７は、可動枠３の前側から見切り構造体６５に取り付けられるように、反射係合部６６や足挿入孔６７および反射固定部６が見切り構造体６５に設けられる。
【図面の簡単な説明】
【００３３】
【図１】ａ図は見切り構造体および反射板の分解正面図、ｂ図は見切り構造体および反射板の組立正面図（最良の形態）。
【図２】パチンコ遊技機の前側からの分解斜視図（最良の形態）。
【図３】可動枠の正面の模式図（最良の形態）。
【図４】遊技盤の後側からの分解斜視図（最良の形態）。
【図５】パチンコ遊技機の横断面図（最良の形態）。
【符号の説明】
【００３４】
１は遊技機枠、２は固定枠、３は可動枠、４は前扉、５は皿構造体、６はヒンジ、７はヒンジ、８は欠番、９は盤収容部、１０は中央開口部、１１は盤後押出部、１２は盤前受止部、１３は盤掛止操作体、１４は盤棚、１５は球発射機構、１６は球発射レール、１７は戻り球取入口、１８は機外排出樋、１９は施錠装置、２０乃至２２は掛止機構、２３は掛止解除操作体、２４はタンク、２５は画像表示装置、２６は表示画面、２７は欠番、２８は窓、２９は前面パネル、３０は球受皿部、３１は球発射操作機構、３２は球取入口、３３は球供給口、３４乃至４０は欠番、４１は遊技盤、４２は透明基盤、４３は遮光基盤、４４はガイドレール、４５は一般入賞部品、４６は始動部品、４７は可変入賞部品、４８はステージ、４９はステージ導入口、５０はステージ開口、５１はステージ導出口、５２はアウト口、５３は球発射通路、５４は取付孔部、５５は証紙台、５６は遊技領域、５７乃至６０は欠番、６１は入賞球出口、６２は画像表示開口部、６３は隔壁、６４は光拡散部材、６５は見切り構造体、６６は反射係合部、６７は足挿入孔、６８は反射固定部、６９；７０は欠番、７１は後部品、７２は球通路構造体、７３は照明構造体、７４は回路基板、７５は表示灯、７６は欠番、７７は反射板、７８は見切り係合部、７９は見切り固定部、８０は縦突起、８１は横突起、８２はねじ挿入孔、８３は止ねじ。
【図１】
2008086572.tif 000003
【図２】
2008086572.tif 000004
【図３】
2008086572.tif 000005
【図４】
2008086572.tif 000006
【図５】
2008086572.tif 000007